(57)【要約】【課題】大量に保存された画像や映像等をグループ化するときに、グループ化されていない画像等のグループ化作業を効率的に支援する画像蓄積表示装置を提供する。【解決手段】この画像蓄積表示装置は、大量の画像等をグループに分類管理するとともに、該画像等を再生表示する画像蓄積表示装置であって、画像等の一覧を表示するときに、グループに属する画像等をスライドショーで再生制御する一覧表示制御手段と、スライドショーに再生されている画像等の中から移動対象の画像等を指定して、移動先のグループを指定する手段と、移動先のグループが指定された後、移動対象の画像等を移動先のグループへ移動する手段と、を備え、移動対象の画像等が指定されると、スライドショーを一時停止し、移動対象の画像等を移動先のグループへ移動が完了した時点で、一時停止していたスライドショーを再開するものである。【選択図】図１０
2008131218.tif 000002
【特許請求の範囲】
【請求項１】
大量の画像や映像（以下、画像等という）をグループに分類管理するとともに、該画像等を再生表示する画像蓄積表示装置において、前記画像等の一覧を表示するときに、前記グループに属する画像等をスライドショーで再生制御する一覧表示制御手段と、前記スライドショーに再生されている画像等の中から移動対象の画像等を指定して、移動先のグループを指定する手段と、前記移動先のグループが指定された後、前記移動対象の画像等を前記移動先のグループへ移動する手段と、を備え、前記一覧表示制御手段は、前記移動対象の画像等が指定されると、スライドショーを一時停止し、前記移動対象の画像等を前記移動先のグループへ移動が完了した時点で、一時停止していたスライドショーを再開することを特徴とする画像蓄積表示装置。
【請求項２】
請求項１に記載の画像蓄積表示装置において、前記移動対象の画像等の属するグループを指定する手段と、前記移動対象の画像等の属するグループを指定する手段と前記移動先のグループを指定する手段とを切り替える手段と、を備えることを特徴とする画像蓄積表示装置。
【請求項３】
請求項２に記載の画像蓄積表示装置において、前記移動対象の画像等の属するグループを指定する手段と、前記移動対象の画像等の属するグループを指定する手段と、前記切り替え手段とを入力装置にある各キーに割り当てることを特徴とする画像蓄積表示装置。
【請求項４】
請求項３に記載の画像蓄積表示装置において、前記移動先のグループを指定する手段は、移動先のグループが指定されるまで、表示されているグループを循環し、循環を停止したときのグループが移動先のグループと決定することを特徴とする画像蓄積表示装置。
【請求項５】
請求項４に記載の画像蓄積表示装置において、前記循環の回転速度を設定する手段を備えることを特徴とする画像蓄積表示装置。
【請求項６】
請求項３に記載の画像蓄積表示において、前記一覧表示制御手段は、スライドショーを再開するときは、前記移動対象の画像等の次の画像等から開始することを特徴とする画像蓄積表示装置。
【請求項７】
請求項１に記載の画像蓄積表示装置において、前記スライドショーで再生表示する画像等は、代表画像であることを特徴とする画像蓄積表示装置。
【請求項８】
請求項７に記載の画像蓄積表示装置において、前記代表画像の表示個数は既定値をもつとともに、ユーザが設定できることを特徴とする画像蓄積表示装置。
【請求項９】
請求項１に記載の画像蓄積表示装置において、前記一覧表示制御手段は、各グループに属する画像等が複数個ある場合、当該グループに対して、同時形式あるいは順次形式でスライドショーすることを特徴とする画像蓄積表示装置。
【請求項１０】
請求項９に記載の画像蓄積表示装置において、前記同時形式のスライドショーか、あるいは、前記順次形式のスライドショーかの切り替え手段を備えることを特徴とする画像蓄積表示装置。
【請求項１１】
請求項９または１０に記載の画像蓄積表示装置において、一覧表示された全てのグループあるいは一部のグループを指定する手段を備え、前記一覧表示制御手段は、前記グループ指定手段で指定されたグループを対象にスライドショーを行うことを特徴とする画像蓄積表示装置。
【請求項１２】
請求項１に記載の画像蓄積表示装置において、前記スライドショーの再生速度を設定する手段を備えることを特徴とする画像蓄積表示装置。
【請求項１３】
請求項９または１０に記載の画像蓄積表示装置において、前記同時形式のスライドショーと前記順次形式のスライドショーの再生速度をそれぞれ設定する手段を備えたことを特徴とする画像蓄積表示装置。
【請求項１４】
請求項１に記載の画像蓄積表示装置において、前記画像等を移動する手段は、指定された画像等が代表画像である場合、移動した先でも代表画像とするか、あるいは、普通の画像とするかを選択可能なことを特徴とする画像蓄積表示装置。
【請求項１５】
請求項１に記載の画像蓄積表示装置において、前記移動対象の画像等を指定するときに、開始データと終了データを指定し、前記画像等を移動する手段は、前記開始データと終了データの間の複数の画像等を一括で移動することを特徴とする画像蓄積表示装置。
【請求項１６】
請求項１に記載の画像蓄積表示装置において、移動取消し手段を備え、前記移動取消し手段が指定されると、前記画像等を移動する手段で移動した画像等の移動を取り消すことを特徴とする画像蓄積表示装置。
【請求項１７】
請求項１に記載の画像蓄積表示装置において、表示装置の視野の中に表示できるグループ数を設定する手段を備え、前記一覧表示制御手段は、前記表示装置に指定されたグループ数に応じた数のグループを表示してスライドショーを行うことを特徴とする画像蓄積表示装置。
【請求項１８】
請求項１７に記載の画像蓄積表示装置において、前記グループ数設定手段は、前記スライドショーを再生表示中に変更可能としたことを特徴とする画像蓄積表示装置。
【請求項１９】
請求項１７または１８に記載の画像蓄積表示装置において、前記一覧表示制御手段は、前記グループ数設定手段で視野中のグループ数を変更した場合、スライドショーが一時停止したときに、再生開始位置を記録し、再び視野中となった場合、前記記録した再生開始位置からスライドショーを再開することを特徴とする画像蓄積表示装置。
【請求項２０】
請求項１に記載の画像蓄積表示装置において、前記一覧表示制御手段は、スライドショーの再生対象をグループの一層目の画像等に限り再生するか、あるいは、再帰的に再生するかを設定する手段を備えることを特徴とする画像蓄積表示装置。
【請求項２１】
請求項２０に記載の画像蓄積表示装置において、前記一覧表示制御手段は、前記再生対象設定手段によって設定された再生対象の画像等を再生する手段を備えることを特徴とする画像蓄積表示装置。
【請求項２２】
請求項１乃至２１のいずれかに記載の画像蓄積表示装置において、前記各指示手段を、操作対象となっているグループ、あるいは、全てのグループに対して有効とするか否かを切り替える手段を備えることを特徴とする画像蓄積表示装置。
【請求項２３】
請求項１乃至２２のいずれかに記載の画像蓄積表示装置の各手段としてコンピュータを機能させるためのプログラム。
【請求項２４】
コンピュータが読み取り可能な記録媒体であって、請求項２３に記載のプログラムを記録したことを特徴とする記録媒体。
【発明の詳細な説明】
【技術分野】
【０００１】
本発明は、大量に保存された画像や映像等を効率的にグループ化する作業を支援する画像蓄積表示装置に関する。
【背景技術】
【０００２】
近年、画像や映像等（以下、画像等という）を記憶装置や記録媒体に大量に記録することができるようになっている。このように記録された画像等を閲覧するためには、記憶装置や記録媒体から読み込み、これらを順次画面上に表示させて確認するようにしている。
【０００３】
しかし、大量の画像等を順に閲覧する方法では、ユーザが見たい画像等を画面上に表示させるまでに多くの時間を必要とする場合が多く、必ずしもユーザの使い勝手が良いものとはなっていなかった。
【０００４】
他方、複数の画像を切り替えて表示するいわゆるスライドショー機能が知られており、これには、キーを押すごとに画像を切り替えるものと、予め設定しておいた時間が経つと自動的に次の画像を表示する方式の２種類がある。
そして、１つの画像から他の画像への切換時間間隔を初期設定しておき、初期設定に従った切換時間間隔を使用して各画像の表示を切り換える方法が用いられている。
この機能を利用することにより、ユーザは一々画像等の表示を切り替える必要がなくなりユーザの操作性が向上した。
【０００５】
特許文献１では、複数の静止画の中から予め選択された画像を予め指定された順番で自動再生することのできるスライドショーの機能を備えている。この装置では、操作ボタンの［ＭＥＮＵ]ボタン、［ＳＥＴ］ボタン、［＋］ボタン、［−］ボタンを用いてデータの設定操作を行い、［＋］ボタンと［−］ボタンによる画像またはメニュー項目の選択、［ＳＥＴ］ボタンによる選択画像またはメニュー選択項目の決定、［ＭＥＮＵ]ボタンによる画像表示モードからメニューへの移行とメニューモードでの上位階層への戻り動作を行うようにして、必要最小限度の兼用操作キーを用いてスライドショーの編集・実行を行うことができる。
【０００６】
また、特許文献２では、大量に保存された画像情報をデータベースから取得し、順次、取得した画像を所定の表示時間間隔ｄｔでディスプレイに表示する。この表示時間間隔ｄｔの変更要求をユーザから取得して、順次表示する画像情報をダイナミックに変更するようにしている。これにより、ユーザは、大量に保存された画像情報を順序よく効率的に閲覧することができる。
【０００７】
また、大量の画像等をまとめたり、検索しやすくする方法として、目的ごとに設けたフォルダに画像等を分類したり、目的ごとに設けたキーワードなどで分類する方法がある。
【０００８】
特許文献３では、画像データベース内に記憶された複数の画像間の関連情報に基づいてグループ化し、ソートする。そして、その結果に基づいて、各グループの代表画像を一つずつ表示したり、１グループ分の全てまたは一部の画像を表示したり、画像とその関連情報を同時に表示したり、１グループ内の代表画像とその他の画像数とを表示するようにしている。
これにより、所望の画像を速やかに検索しやすい表示処理を行い、画像を効率的に利用することができる。
【特許文献１】特開平１１−３３１７３９号公報
【特許文献２】特開２００４−３１７６０４号公報
【特許文献３】特開２００４−１３５７５号公報
【発明の開示】
【発明が解決しようとする課題】
【０００９】
しかしながら、上記の特許文献１および２においては、画像のグループ化によりデータベース全体の内容が把握し易いように画像を整理できるようになった。しかし、グループの代表画像を表示する方法では、グループ化されていない画像を既存のグループへ分類させるためには、グループにどのような画像が属しているかが見えないため、グループを選択して画面を切り替えて、グループに属する画像を表示させてから、分類作業を行う必要がある。
【００１０】
また、上記の特許文献３においては、画像の関連情報に依存してグループ化しているが、例えば、現在のデジタルカメラでは１Ｇ以上の写真が撮られるのが現状であり、このような大量な写真にコメント等の関連情報を入力する余裕はない。
そのため、関連情報が入力された画像に対しては自動的にグループ化が行われるが、その他の関連情報が入力されていない画像については、手作業で行うしかない。
【００１１】
本発明は、上記の実情を考慮してなされたものであって、大量に保存された画像や映像等をグループ化するときに、グループ化されていない画像や映像等をグループ化する作業を効率的に支援する画像蓄積表示装置およびその装置を用いたグループ化支援方法を提供することを目的とする。
【課題を解決するための手段】
【００１２】
上記の課題を解決するために、本発明の画像蓄積表示装置を次のような構成とする。
画像蓄積表示装置は、大量の画像や映像（以下、画像等という）をグループに分類管理するとともに、該画像等を再生表示する画像蓄積表示装置であって、前記画像等の一覧を表示するときに、前記グループに属する画像等をスライドショーで再生制御する一覧表示制御手段と、前記スライドショーに再生されている画像等の中から移動対象の画像等を指定して、移動先のグループを指定する手段と、前記移動先のグループが指定された後、前記移動対象の画像等を前記移動先のグループへ移動する手段と、を備え、前記一覧表示制御手段は、前記移動対象の画像等が指定されると、スライドショーを一時停止し、前記移動対象の画像等を前記移動先のグループへ移動が完了した時点で、一時停止していたスライドショーを再開するものである。
【００１３】
ここで、前記移動対象の画像等の属するグループを指定する手段と前記移動先のグループを指定する手段とを切り替える手段と、を備えており、これらの手段は、入力装置にある各キーに割り当てている。
【００１４】
また、前記移動先のグループを指定する手段は、移動先のグループが指定されるまで、表示されているグループを循環し、循環を停止したときのグループが移動先のグループと決定する。ここで決定された移動先のグループに前記移動対象となった画像等を移動させる。この前記循環の回転速度は、ユーザによって設定することができる。
【００１５】
また、前記画像等を移動する手段は、次のことができる。
・指定された移動対象の画像等を移動先のグループへ移動することができる。
このとき指定された移動対象の画像等が代表画像である場合、移動した先でも代表画像とするか、あるいは、普通の画像とするかを選択することができる。
・前記移動対象の画像等を指定するときに、一つの画像等だけでなく、開始データと終了データを指定することができる。このとき、前記開始データと終了データの間の複数の画像等を移動対象の画像等であるとして、一括して移動することができる。
・移動取消し手段を設けておき、前記取消し手段が指定されると、前記画像等を移動する手段で移動した画像等の移動を取り消すようにした。
【００１６】
前記一覧表示制御手段は、次のようなことが可能である。
・前記スライドショーで再生表示の対象となる画像等は、予め設定あるいは既定された個数の代表画像とする。
・各グループに属する画像等が複数個ある場合、当該グループに対して、同時形式あるいは順次形式でスライドショーする。この前記同時形式のスライドショーか、あるいは、前記順次形式のスライドショーかの切り替え手段を設けて、ユーザはこの切り替え手段によりいずれかの表示形式に切り替える。
・一覧表示された全てのグループあるいは一部のグループを指定する手段を設け、前記グループ指定手段で指定されたグループを対象にスライドショーを行うようにした。
・前記同時形式のスライドショーと前記順次形式のスライドショーの再生速度をそれぞれ設定することができる。
・移動対象となった画像等が移動を完了したときには、前記移動対象の画像等の次の画像等からスライドショーを再開する。
【００１７】
さらに、前記一覧表示制御手段は、前記スライドショーを再生表示中に、表示装置の視野の中に表示できるグループ数を変更可能に設定する手段を備えたときには、前記表示装置に指定されたグループ数に応じた数のグループを表示してスライドショーが行える。
このとき、前記グループ数設定手段で視野中のグループ数を変更した場合、スライドショーが一時停止したときに、再生開始位置を記録し、再び視野中となった場合、前記記録した再生開始位置からスライドショーを再開するようにした。
【００１８】
また、前記一覧表示制御手段は、スライドショーの再生対象をグループの一層目の画像等に限り再生するか、あるいは、再帰的に再生するかを設定する手段と、前記再生対象設定手段によって設定された再生対象の画像等を再生する手段を備えるようにした。
【００１９】
さらに、前記各指示手段を、操作対象となっているグループ、あるいは、全てのグループに対して有効とするか否かを切り替える手段を備えるようにして、個々のグループに対して、スライドショーの速度を別々に指定でき、さらに、スライドショーの一時停止・再開・ステップの再生・停止・パラメータ更新を実行することができる。
【００２０】
また、上述した構成の画像蓄積表示装置の各手段として、コンピュータを機能させるためのプログラムを作成しておき、または、そのプログラムをコンピュータ読み取り可能な記録媒体に記録しておき、機器に備えられたコンピュータでこのプログラムを実行することによっても上記課題を解決することができる。
【発明の効果】
【００２１】
本発明によれば、大量に保存された画像や映像等をグループ化するときに、グループ化されていない画像や映像等を効率よくグループ化することができる。
【発明を実施するための最良の形態】
【００２２】
以下、図面を参照して、本発明の画像蓄積表示装置に係る好適な実施形態について説明する。以下の実施形態では、画像蓄積表示装置を記憶装置内蔵型デジタルレコーダの記録再生装置として説明するが、本発明はこれに限定されたものではなく、大量の映像や静止画像等の中からユーザの所望の画像等を見つけ出して再生する機能を有する装置に適用できる。
【００２３】
図１は、本発明の実施形態に係る記録再生装置（画像蓄積表示装置）１の構成を示すブロック図である。図１において、記録再生装置１は、主制御部１１、メモリ１２、入力部１３、記録部１４、記憶装置１５、再生部１７、出力部１８、受信部１９から構成されている。この記録再生装置１の構成や各部の機能は、従来の記録再生装置と同じであるから詳細を省略する。
【００２４】
主制御部１１は、記録再生装置１が備える各部１２〜１９をバス又は信号線を介して接続し、メモリ１２に記憶された制御プログラム及びデータに従って、記録再生装置１の各部を制御し、各種処理を実行する。
メモリ１２は、不揮発性メモリや揮発性メモリで構成され、不揮発性メモリには制御プログラム及びデータが記憶され、揮発性メモリには各種処理中に発生する一時的なデータが記憶される。
【００２５】
入力部１３は、例えば、ユーザが選択した放送チャンネルに応じた放送信号である映像をデジタル放送受信装置から受け付け、主制御部１１の制御によって、記録部１４および出力部１８へ供給される。勿論、デジタルカメラ、デジタルビデオカメラ、インターネットや記録媒体から映像や画像等を取得するようにしてもよい。
【００２６】
記録部１４は、ユーザの指示や予約機能によって入力部１３で入力した画像等のデータとこのデータから生成された関連情報を記憶装置１５に蓄積する。ここで、データ名、記録した日時情報、入力機器の種類、データが放送であれば、番組に関する番組名、出演者、カテゴリ等、さらに、サムネイル画像等が関連情報である。
記憶装置１５は、例えば、ハードディスクドライブ装置で構成され、記録部１４からのデータや記録再生装置１の動作中に発生したデータを記憶する。もちろん、大容量記録メディアであれば、光ディスクや不揮発性メモリ等であっても構わない。
再生部１７は、リモコン３によりユーザの指示を受け、記憶装置１５から指示された画像等のデータとそのデータに関連する関連情報を読み出して、出力部１８を介して表示装置２へ供給して再生を行う。
【００２７】
出力部１８は、主制御部１１の制御により、記録再生装置１の作動状況、ユーザに対する操作指示、ユーザが選択すべき選択肢、選択肢を選択するためのフォーカス等を表示装置２へ出力して表示画面に表示させる。
ユーザは、表示画面に表示された各種の情報を視認して、リモコン３を操作することによって、各種の操作命令および／または選択した選択肢を記録再生装置１に与える。
また、出力部１８は、主制御部１１の制御により、入力部１３から入力された映像、静止画像等を表示装置２へ出力してこれらを再生する。
【００２８】
受信部１９は、記録再生装置１に別体に設けられたリモートコントローラ（リモコン）３から操作信号を受信して主制御部１１へ供給する。このリモコン３には、文字や数字や方向キー、各種の操作キー（後述）が設けられており、ユーザがこれらのキーを操作すると、このキーに対応する信号が無線で記録再生装置１へ送信される。
【００２９】
次に、上記のような記録再生装置（画像蓄積表示装置）１において、記憶装置１５に累積されたグループ化されていない画像等を本発明のグループ化作業支援方法によって行う手順について概説する。
【００３０】
以下の説明では、記憶装置には、図２に例示したような１０つの画像データ（画像１〜１０）が蓄積され、それらの画像データ（画像１〜９）は３つのグループＡ，Ｂ，Ｃにグループ分けされ、画像１０はグループ分けされていないものとする。グループＡには画像１，２，３が、グループＢには画像４，５，６，９が、グループＣには画像７，８がグループ分けされている。
【００３１】
このような画像データの一覧を表示すると、従来は、グループ名を持つ３つのフォルダを図３（Ａ）のようにする表示するか、あるいは、図３（Ｂ）のように画像データをグループに分類したリスト形式で表示するのみである。
【００３２】
しかし、本発明の一覧表示では、グループや画像データを２次元あるいは１次元に配置し、グループに属する画像をスライドショーのように表示する。ここで、グループとは、何らかの条件に合致した画像データあるいはユーザに指定された画像データを要素としてまとめるものであり、この要素にグループを含んでいても構わない。したがって、グループは階層構造であり、各階層の要素では画像データだけからなっていてもよいし、グループだけからなっていてもよいし、もちろん、両方を含んでいても構わない。
【００３３】
図４（Ａ）および（Ｂ）は、２次元配列一覧表示であり、各グループを示す表示領域の中に、図４（Ａ）ではグループに分類されている要素が１つ表示され、図４（Ｂ）ではグループに分類されている要素がユーザに設定により２つ以上表示される。
また、図４（Ｃ）は、１次元配列一覧表示であり、グループ名および画像データ名とこのグループに分類されている要素（代表画像）のサムネイルとをリストとして表示されている。このサムネイルの表示には、上述したように１つの要素を使ったスライドショーと、複数の要素を同時に使ったスライドショーとがある。
【００３４】
このスライドショーの表示形式にも、（１）１つのグループに属する全ての要素をスライドショーした後に、別のグループについても順次行う形式（以下、順次形式という。図５）と、（２）各グループに属する要素の表示を同時に変更して表示する形式（以下、同時形式という。図６）とがある。
【００３５】
また、画像データには、代表画像データとそうでない単なる画像データの区別がある。代表画像データは、スライドショーを行うときに表示されるグループの性格を表す、１つ以上の画像データである。ユーザから特に指定がなければ、グループに最初に移動して分類された画像データが代表画像データとなる。このように、代表画像データはスライドショーの表示に使われるものであるが、例えば、グループに分類された期日や画像が作成された日時やユーザの指定によって優先順位を決め、その優先順位によって表示する順番が決まる。
【００３６】
図５は、順次形式によるスライドショーの表示例であり、スライドショーの経過時間ｔにおける各グループの表示状態を示している。この例では、はじめには各グループに属する要素（代表画像）を１つ選んで所定時間だけ表示し、次には、１つのグループだけ他の要素に取り替えて表示して、次々と同グループの他の要素（代表画像）に取り替えて全ての要素（代表画像）を表示した後、次のグループに属する全ての要素（代表画像）に対して同様に表示させ、これを全てのグループに対して行っている。
【００３７】
図５では、時間ｔ１からｔ３まではグループＡに属する要素（画像１〜３）を次々と変えて表示させる。次の時間ｔ４からｔ６までは、グループＢの要素（画像５，６，９）を次々と変えて表示させる。最後に、時間ｔ７では、グループＣの要素（画像８）を表示させる。ここで、画像１０はグループには属しておらず、また、１つの画像であるからスライドショーさせる必要はない。
以降、ユーザの指定あるいは自動的に繰り返して、スライドショーするものとしてもよい。
【００３８】
図６は、同時形式によるスライドショーの表示例であり、スライドショーの経過時間ｔにおける各グループの表示状態を示している。この例では、はじめには各グループに属する要素（代表画像）を１つ選んで所定時間だけ表示し、次には、各グループの他の要素（画像）に取り替えて同様に表示させる。このように各グループに表示させる要素（代表画像）を同時に取り替える。
【００３９】
また、各グループに属する要素の数が等しくないときには、少ない要素のグループに関しては、以後、最も要素数の多いグループの表示が終わるまで待ってから、最初から同時に要素を変えて表示させてもよいし、あるいは、要素数に関係なく、グループに属する最初の要素から繰り返し表示するようにしてもよい。
【００４０】
図６では、時間ｔ１からｔ２までは、全てのグループＡ，Ｂ，Ｃに属する要素を同時に変えて表示し、時間ｔ３ではグループＡとＢとに属する要素を同時に変え、グループＣには対応する要素がないので表示を変更しない。そして、時間ｔ４ではグループＢに属する要素を変え、グループＡとＣには対応する要素がないので表示を変更しない。時間ｔ５から後は、各グループの最初の要素に戻って、繰り返しスライドショーしても構わない。
【００４１】
あるいは、時間ｔ３でグループＣに属する要素がなくなった場合、要素の表示を停止せずに、グループの最初の要素から繰り返し表示させるようにしてもよい。同様に、グループＡについても、時間ｔ４の時点から最初の画像から繰り返し表示させるようにしてもよい。
【００４２】
上記の例では、グループ内の要素は画像データのみであったが、以下、階層構造からなるグループのスライドショーについて説明する。
説明のため、図７のように記憶装置１５に記憶された画像データがグループ分けされているものとする。即ち、グループＭの要素は、グループＡ、グループＢおよび画像６，９からなり、グループＡの要素は、画像１，２，３からなり、グループＢの要素は、画像４，５からなっている。
【００４３】
階層構造からなるグループのスライドショーの再生方法には、（１）一層目の要素だけをスライドショーする方法と、（２）要素に含まれるグループに対して再帰的（recursive）にスライドショーする方法とがある。
【００４４】
図８は、図７のグループＭについて、（１）一層目の要素だけでスライドショーした例である。この場合のスライドショーでは、同一グループに複数の要素があるときには、そのグループで優先順位の高い要素が１つ選択されて表示される。
【００４５】
図８において、時間ｔ１では、グループＭの１層目の最初のグループＡに属している画像１（優先順位の最も高い代表画像データ）が表示され、時間ｔ２では、グループＭの１層目の次のグループＢに属している画像４（優先順位の最も高い代表画像データ）が表示され、時間ｔ３では、グループＭの１層目に属している画像６（優先順位の最も高い代表画像データ）が表示される。
【００４６】
ここで、グループＡやグループＢの要素に画像データがなく、グループのみであった場合には、このグループの下位階層で画像データを含むグループを探し、その画像データがどの階層のグループに属しているかが分かるように表示する。
また、グループＭに属する画像６，９は同じ階層の要素であるから優先順位の高い要素（ここでは、画像６の方の優先順位が高いとした）だけが表示される。
【００４７】
図９は、図７のグループＭについて、（２）要素に含まれるグループに対して再帰的（recursive）にスライドショーした例である。この場合のスライドショーでは、グループの下位階層で画像データを含むグループを探し、その画像データがどの階層のグループに属しているかが分かるように表示して、この画像データと同じ階層の画像データを全て表示した後、１つ上位の階層に戻ってこの階層の他の要素について同様に表示する。
【００４８】
図９において、時間ｔ１〜ｔ３では、グループＭの下位階層の最初のグループＡに属している画像１から画像３が順次表示され、時間ｔ４〜ｔ５では、次のグループＢに属している画像４〜５が順次表示され、時間ｔ６〜ｔ７では、グループＭに属している画像６と画像９が順次表示される。
【００４９】
このように各グループを一覧表示させるだけでなく、各グループに属する画像データを次々と変えてスライドショー表示させるので、ユーザはどのグループにはどのような画像が含まれているかを認識しやすくなるとともに、スライドショー表示された画像データを選択しやすくなる。
【００５０】
次に、上述した一覧表示を用いて、グループに分類されていない画像、あるいは、他のグループへの分類変更を行なう操作について概説する。以下の説明では、次のような前提を持つものとする。
【００５１】
・デジタルカメラで撮影した画像が記憶装置に累積されている。
・これらの画像は、上記例と同じようにグループＡ，Ｂ，Ｃに分類されている。
・グループＡは、未だ分類されていない画像を保管するグループとし、他のグループＢおよびＣは既に分類が済んでおり、例えば、風景や人物のグループである。
・一覧表示は、図６のような同時形式でなされる。
・操作対象を表すフォーカスを移動させる操作キーとして、リモコンの方向キー（十字キー、上下左右キー等）を用いる。
・「一覧表示モード」と画像データの「データ移動モード」との切り替えに、リモコンの「決定キー」の長押しを用いる。
・「一覧表示モード」のときに、方向キーを押すとフォーカスが現在フォーカスしていたグループから方向で示されるグループへ移動するとともに、フォーカスの当たっているグループがパラメータ設定対象のグループや移動対象となる画像データのあるグループとなる。
・「データ移動モード」のときに、方向キーを押したときに表示されていた画像データが移動対象となり、方向キーを押し続けると、フォーカスが現在フォーカスしていたグループから方向で示されるグループへ移動し、方向キーがリリースされたときにフォーカスの当たっていたグループへ移動対象の画像データが移動させられる。
【００５２】
上記の前提において、グループＡの画像１と画像３をグループＢへ、画像２をグループＣへ分類するものとする。
まず、最初に一覧表示の指示が行われると、「一覧表示モード」となっており、すべてのグループがスライドショーの状態になっており、フォーカスは最初のグループであるグループＡに設定される。
この状態で、「決定キー」を長押しすると、「データ移動モード」に切り替わる。
【００５３】
次に、グループＡのスライドショーで画像１が表示されている間に、「右方向キー」を押すと、グループＡのスライドショーが一時停止するとともに、フォーカスが次のグループＢに移動する（この間、右方向キーは押したままとする）。
そして、フォーカスがグループＢに移動したときに、右方向キーを放す（リリースする）と、データの移動操作が完了し、画像１がグループＢに移動する。
データ移動が完了すると、フォーカスがグループＡに戻るとともに、スライドショーが再開される。
【００５４】
次に、グループＡのスライドショーで画像２が表示されている間に、「右方向キー」を押すと、グループＡのスライドショーが一時停止するとともに、フォーカスが次のグループＢに移動し、フォーカスは所定の時間が過ぎるとさらにグループＣに移動する（この間、右方向キーは押したままとする）。このフォーカスは、表示された最後のグループの次には、表示の最初のグループへ戻される。逆に、フォーカスを移動させると、最初のグループの次は、最後のグループとなり、順次前のグループへ移動する。
【００５５】
そして、フォーカスがグループＣに移動したときに、右方向キーを放す（リリースする）と、データの移動操作が完了し、画像２がグループＣに移動する。
データ移動が完了すると、フォーカスがグループＡに戻るとともに、スライドショーが再開される。
画像３の移動も同様にして行うことができる。
【００５６】
ここで、グループＡのスライドショーで画像が表示されているときに、右方向キーを押さなければ、スライドショーの画像が次に進むので、分類先がないかあるいは決定できないときには方向キーを押さないようにすればよい。
３つの画像の移動が完了すると、グループＡに属する画像がなくなるので、グループＡのスライドショーには何も表示されない。
最後に、リモコンの「決定キー」を長押しすると、「データ移動モード」から「一覧表示モード」に戻る。
【００５７】
上記の例では、操作対象を表すフォーカスを移動するのに方向キーを用いて行ったが、リモコンの数字キーをグループに対応させるようにすれば、もっと操作性が向上する。
即ち、１度目の数字キーで移動対象の画像のあるグループを指定し、スライドショーで移動対象の画像が表示されたときに、移動先のグループに対応する数字キーを押すことによって指定された画像が移動される。
【００５８】
次に、本発明の実施形態について詳細に説明する。
図１０は、本実施形態に係る機能構成のブロック図であり、同図において、記録再生装置１は、ユーザがリモコン３で操作した、文字や数字や方向キーや各種の操作キーの操作信号を、主制御部１１を介して供給され、操作信号と記憶装置１５に記憶した画像データや関連情報を用いて、画像データのグループ分け作業を支援するグループ化作業支援部２０を備えており、出力部１８を介して、現在のグループ分け状況を表示装置２に表示することによって、この作業を支援する。
【００５９】
グループ化作業支援部２０は、支援制御部２１、一覧表示制御部２５、パラメータ設定部２６、グループ登録部２７とからなっている。
また、記憶装置１５には、画像データ記憶部１５１、グループデータ記憶部１５２、パラメータ記憶部１５３が保持されている。
【００６０】
この画像データ記憶部１５１は、各画像データに画像識別子（画像ＩＤ）を割り当てて、記録部１４によって記憶された画像データである。この画像データ記憶部１５１には、次に例示するデータが累積される。
【００６１】
画像ＩＤ：記録された画像データを識別するための識別子である。
画像データ名：画像データの内容を表している名前であり、テレビ放送の番組名、ＤＶＤデータのタイトルなどを表している。
作成日：画像データの記録日時、曜日等である。
付帯データ：入力機器の種類、出演者、カテゴリ、消去の可否等の情報である。
サムネイル画像：特徴画像データを縮小したサムネイル画像データである。あるいは、サムネイル画像データを格納した記憶装置のアドレスでもよい。
特徴画像データ：画像データが静止画の場合には画像データと同じであり、画像データが動画像や映像の場合には、動画像や映像の特徴を現した１フレームの画像である。画像の代わりに、特徴画像を格納した記憶装置のアドレスでもよい。
画像データ：記録部１４によって記録した静止画や動画、映像などの画像データである。あるいは、画像データを格納した記憶装置のアドレスでもよい。
【００６２】
グループデータ記憶部１５２は、画像データ記憶部１５１に記憶された各画像データがどのグループに分類されているかを示す画像ＩＤリスト、また、スライドショーを実行中の状態等を格納する。このグループデータ記憶部１５２には、次に例示するデータが記録される。ここで、最上位階層のグループを「ｒｏｏｔ」とし、既にグループ化されたグループの最上位階層とグループ化されていない画像データが含まれるものとする。
【００６３】
グループＩＤ：グループを識別するための識別子である。このグループＩＤと画像ＩＤとはそれぞれ唯一性を持っており、それぞれのＩＤからグループを表すのか画像を現しているのかが識別可能とする。
グループ名：グループの分類名前であり、ユーザに指定されるか、あるいは、自動的にグループ化したときに振られる名前である。
要素ＩＤリスト：グループＩＤで示されるグループに属する要素を識別する要素ＩＤのリストである。この要素ＩＤは、グループＩＤまたは画像ＩＤのいずれかであり、画像ＩＤの場合には、代表画像かそれ以外の画像であるかを示す区別、例えば、優先順位を含んでいる。代表画像の優先順位は、スライドショーに表示される順番を表し、例えば、このグループに登録された日付順、作成日時順あるいはユーザによる指定順等のようにしてもよい。
親階層のグループＩＤ：グループＩＤで示されるグループの直上の階層のグループの識別子である。この親階層のグループＩＤと要素ＩＤリストとによって、再帰的なスライドショーが行える。
移動元フォーカス：移動対象の画像データの属しているグループであるか否かを真／偽値によって記憶する。
次に表示開始する要素ＩＤ：データ移動操作が行われたときに、移動対象の画像データ（画像ＩＤ）の次の順番の要素に対する要素ＩＤを記憶する。
【００６４】
パラメータ記憶部１５３は、ユーザが予め設定したり、あるいは、スライドショーを実行中に指定した、下記のようなパラメータである。
【００６５】
表示形態：一覧表示を２次元配置で表示するか、あるいは、１次元配置（リスト）で表示するかの区別を記憶する。
表示形式：同時形式あるいは順次形式で表示するかの区別を記憶する。
１度の表示個数（ｎ）：一覧表示の際に１つのグループで１度に表示する要素（グループあるいは画像データ）の個数を記憶する。
代表画像個数（Ｎ）：各グループに属する代表画像データの最大個数であり、１度にスライドショーで表示される画像データをこの個数Ｎに制限する。
階層表示：スライドショーで２階層以上からなるグループを表示する場合に、一階層でのスライドショーを行うか、あるいは、再帰的なスライドショーを行うかの区別を記憶する。
表示間隔スピード：スライドショーでの画像データ表示間隔のスピード（早い、普通、遅い等）および繰り返してスライドショーを行うときには、表示間隔スピードを一定に保つかあるいは減速・増速するかを記憶する。
繰り返し：スライドショーの繰り返しの有無を記憶する。
フォーカススピード：「データ移動モード」において、移動対象を選択した後に、フォーカスを動かすスピード（早い、普通、遅い等）を記憶する。このフォーカスは、表示されたグループを循環して移動する。
【００６６】
次に、グループ化作業支援部２０の各部の機能について説明する。
支援制御部２１は、主制御部１１から供給されたリモコン３からの操作信号を解析して、グループ化作業支援部２０の各部に供給するとともに、各部の制御を行う。この支援制御部２１の機能については、以下随時説明する。
【００６７】
ユーザは、画像データ記憶部１５１に記憶された画像データを分類するために、リモコン３を操作して、メニューを選択する。メニューが選択されると、支援制御部２１はメニューリストを表示し、リモコン３でメニューリストの中からグループ登録が選択されると、グループ登録部２７を実行する。
【００６８】
グループ登録部２７は、まず、画像データ記憶部１５１に記録されている画像データを分類するための条件とグループ名とを対として必要な個数だけ受け付ける。
ここで、分類の条件とは、（１）記録された曜日、（２）記録された日毎、週毎、季毎、年毎、（３）キーワード、等であり、これらによって分類する。
【００６９】
グループ登録部２７は、分類条件とグループ名とを受け付けると、グループＩＤを生成し、グループＩＤとグループ名をグループデータ記憶部１５２の「グループ名」へ登録する。
【００７０】
次に、グループ登録部２７は、画像データ記憶部１５１の「画像データ名（番組名、タイトル）」、「作成日（年月日、曜日）」、「付帯データ（入力機器の種類、出演者、カテゴリ等）」を参照して、グループ毎に分類条件に合致した画像データを検索し、検索された画像データを、作成日やタイトルなどによって所定の整列を行って、検索された画像データの画像ＩＤをリストにし、グループデータ記憶部１５２の当該グループの「要素ＩＤリスト」へ記憶する。このときの代表画像データは、整列された画像の先頭から「代表画像個数（Ｎ）」以内のものとする。
【００７１】
また、グループ登録部２７は、これまでに生成されたグループと、上記の分類条件のいずれにも合致しなかった画像データ、あるいは、分類条件が指定されていない場合の画像データの画像ＩＤとを要素ＩＤリストとして、最上位階層のグループを「ｒｏｏｔ」を生成して、グループデータ記憶部１５２に記憶する。そして、既に生成されたグループの親階層のグループＩＤを「ｒｏｏｔ」のグループＩＤで更新する。
【００７２】
グループ登録部２７は、最後に、グループデータ記憶部１５２の各グループの「移動元フォーカス」を初期化してから、支援制御部２１へ制御を戻す。
【００７３】
グループ登録部２７では、上記のように自動的に検索条件からグループを生成するのではなく、単に、グループ名のみを登録するようにしても構わない。このときも最上位階層として「ｒｏｏｔ」を生成し、画像データ記憶部１５１に記憶された全ての画像データを、この「ｒｏｏｔ」グループに属するようにした要素ＩＤリストを作成して、グループデータ記憶部１５２へ記憶させてもよい。
【００７４】
また、グループ登録部２７は、グループを追加するときには、上記同様にグループ名と分類条件をユーザに指定させて、この分類条件に合致した画像データの画像ＩＤからなる要素ＩＤリストを作成して、グループデータ記憶部１５２へ追加・更新する。このときにも、自動的に分類するのではなく、グループ名を追加するだけでも構わない。
【００７５】
また、グループ登録部２７は、グループを削除する時には、グループデータ記憶部１５２から該当グループに属する要素ＩＤリストを「ｒｏｏｔ」グループへ追加し、該当グループを削除するとともに、削除対象のグループＩＤを親階層の要素ＩＤリストから削除する。
【００７６】
次に、ユーザは、一覧表示するときのスライドショーに関するパラメータを設定するために、リモコン３を操作して、メニューを選択する。メニューが選択されると、支援制御部２１はメニューリストを表示し、リモコン３でメニューリストの中からパラメータ設定が選択されると、パラメータ設定部２６を実行する。
【００７７】
パラメータ設定部２６は、表示形態、表示形式、１度の表示個数（ｎ）、代表画像個数（Ｎ）、階層表示、表示間隔スピード、繰り返し、フォーカススピードの各項目についての選択ダイアログを表示し、ユーザにこれらを選択入力させる。
これらの各項目の選択肢は次の通りである。
【００７８】
表示形態：「２次元配置」、あるいは、「１次元配置」。既定値を「２次元配置」とする。
表示形式：「同時形式」、あるいは、「順次形式」。既定値を「同時形式」とする。
１度の表示個数（ｎ）：数値の入力フィールドを設け、既定値を「１」とする。
代表画像個数（Ｎ）：数値の入力フィールドを設け、既定値を「１０」とする。
階層表示：「一階層でのスライドショー」、あるいは、「再帰的なスライドショー」。既定値を「一階層でのスライドショー」とする。
表示間隔スピード：「早い」、「普通」、「遅い」から選択し、さらに、繰り返しを「一定」、「減速」、「増速」のいずれかで表示するかを選択させる。既定値を「普通」、「一定」とする。
繰り返し：「有」、あるいは、「無」。既定値を「有」とする。
フォーカススピード：「早い」、「普通」、あるいは、「遅い」。既定値は「普通」とする。
【００７９】
パラメータ設定部２６は、以上の選択が完了すると、指定されていない項目については既定値に置き換えて、指定された各値をパラメータ記憶部１５３へ記憶する。
また、これらの各項目の選択結果を表示装置２の所定の場所に表示させるようにしてもよい。
【００８０】
また、各パラメータを設定するための操作キーをリモコン３の各種キーにそれぞれ予め割り当てておき、それらの操作キーが押されたときに、支援制御部２１からパラメータ設定部２６を実行させるようにしてもよい。
この場合には、メニュー形式で上記の項目を選択するのではなく、操作キーを押す毎に選択肢が順番に選択され、その選択結果を表示装置２の所定の場所に表示させるようにしてもよい。
【００８１】
次に、ユーザが画像データ記憶部１５１に記憶された画像データを再分類するために、リモコン３を操作して、メニューを選択する。メニューが選択されると、支援制御部２１はメニューリストを表示し、リモコン３でメニューリストの中から一覧表示が選択されると、一覧表示制御部２５を実行する。
【００８２】
一覧表示制御部２５は、まず、「一覧表示モード」に設定し、パラメータ記憶部１５３を参照して、各グループに属する代表画像データをスライドショーにて出力部１８を介して表示装置２に表示する。
【００８３】
一覧表に配置するグループは、「表示形態」を参照することによって、２次元配置あるいは１次元配置のいずれかに決定する。２次元配置は、格子状にグループを配置し、この格子の１つ１つに、格子に対応するグループに属する代表画像が優先順位に応じてスライドショー形式で順次表示される。１次元配置は、リスト形式で配置し、リストの１つ１つに、リストに対応するグループに属する画像のサムネイルがスライドショー形式で順次表示される。
【００８４】
このグループに属する画像は、「要素ＩＤリスト」に登録された優先順位の代表画像データを画像データ記憶部１５１の「特徴画像データ」あるいは「サムネイル」から取り出されて表示される。「要素ＩＤリスト」にグループＩＤが含まれているときには、「階層表示」を参照して、いずれの画像データを取り出すかを決定する。
また、これらのスライドショーを行うときに表示される要素の数は、既定値では「１」であるが、「１度の表示個数（ｎ）」に「１」より大きい数値が指定されていれば、スライドショーの１回にこのｎ個分の要素を表示する。
【００８５】
また、各グループの画像を表示するタイミングとして、パラメータ記憶部１５３に記憶している「同時形式」あるいは「順次形式」のいずれかで表示させる。このときの１回の表示時間間隔は、「スピード」で設定された「早い」、「普通」あるいは「遅い」のいずれかによって次々と一定のスピードでスライドショーをしていく。これらの「早い」、「普通」あるいは「遅い」については、これらに対応するスピードを予めシステム乃至はユーザが設定しておいておく。
【００８６】
さらに、パラメータ記憶部１５３の「繰り返し」を参照して、各グループに属する画像データの表示が終わったあと、「繰り返し」が「有」であればスライドショーを繰り返し、「無」であればスライドショーの繰り返しはない。ここで、「スピード」が「一定」、「減速」あるいは「増速」のいずれかであれば、繰り返されたときのスライドショーの表示スピードをこれらの選択肢によって変更する。
【００８７】
次に、一覧表示モードにおけるリモコン３で使用する操作キーについて説明する。
スライドショーの制御のために、次のような操作キーがある。
（１）ストップ操作キー：このストップ操作キーは、一覧表示されているスライドショーを一時的に停止させる。一時停止の状態で、さらにストップ操作キーを操作すると、スライドショーを完全に停止する。
（２）リスタート操作キー：一時停止していたスライドショーを再開する。
（３）スタート操作キー：停止状態のスライドショーを開始させる。
（４）ステップ操作キー：一時停止の状態で、ステップ操作キーを操作すると、スライドショーを１つ進ませる。さらに、１つスライドショーを戻すような操作キーを設けるようにしてもよい。
【００８８】
次の操作キーは、パラメータを更新するときに利用される操作キーであり、操作キーが押されると、そのキーの機能に応じてパラメータ設定部２６が実行され、パラメータ記憶部１５３が更新され、表示装置２の所定の場所に更新された状態が表示され、以後のスライドショーの表示に反映される。
【００８９】
（１）表示形態操作キー：表示形態操作キーを押す毎に「２次元配置」乃至「１次元配置」が切り換わる。
（２）表示形式操作キー：表示形式操作キーを押す毎に「同時形式」乃至「順次形式」が切り換わる。
（３）１度の表示個数（ｎ）操作キー：１度の表示個数（ｎ）操作キーを押すと、数値選択のダイアログが表示され、表示された数値から所望の数値を選択する。
（４）代表画像個数（Ｎ）操作キー：代表画像個数（Ｎ）操作キーを押すと、数値選択のダイアログが表示され、表示された数値から所望の数値を選択する。
（５）階層表示操作キー：階層表示操作キーを押すごとに、「一階層でのスライドショー」乃至「再帰的なスライドショー」が切り換わる。
（６）表示間隔スピード操作キー：スピード操作キーを押す毎に「早い」、「普通」、「遅い」が順次切り換わる。
（７）繰り返し操作キー：繰り返し操作キーを押す毎に「有」あるいは「無」が切り換わる。
（８）繰り返しスピード操作キー：繰り返しスピード操作キーを押す毎に、繰り返しスピードを「一定」、「減速」、「増速」が順次切り換わる。
（９）フォーカススピード操作キー：フォーカススピード操作キーを押す毎に「早い」、「普通」、「遅い」が順次切り換わる。
【００９０】
また、移動対象の画像データがあるグループを指定するために、そのグループへのフォーカスを移動する必要がある。このための操作キーとして、フォーカス移動操作キー（上述した操作例では「方向キー」が用いられていた。）がある。
例えば、２次元配置の場合には上下左右方向キーによってフォーカスを移動させることができる。１次元配置の場合には、上下方向キーや前後キーによってフォーカスを移動させることができる。
そして、「一覧表示モード」において、このフォーカス移動操作キーによってフォーカスが当てられたグループは、グループデータ記憶部１５２の該当するグループの「移動元フォーカス」に「真」値が設定され、フォーカスの当たっていないグループの「移動元フォーカス」に「偽」値が設定される。
また、フォーカスの当たっているグループは、他のフォーカスの当たっていないグループより目立つような表示がなされる。
【００９１】
次に、一覧表示制御部２５の「データ移動モード」について説明する。
「一覧表示モード」において、「モード切替操作キー」（上述した操作例では「決定キーの長押し」が用いられていた。）を押すと、「一覧表示モード」から「データ移動モード」に切り換わる。
【００９２】
「データ移動モード」に切り換わると、「フォーカス移動操作キー」は、移動対象の画像データの移動先のグループを指し示すフォーカスの移動に使われる。
ここで、「フォーカス移動操作キー」が押されると、スライドショーが動作中であれば、スライドショーを一時停止し、このときフォーカスの当たっていたグループで表示されていた画像が移動対象の画像データとされる。
そして、各グループに対して、次にスライドショーを再開するときに最初に表示される要素の要素ＩＤをグループデータ記憶部１５２の「次に表示開始する要素ＩＤ」に記憶させる。
【００９３】
さらに、「フォーカス移動操作キー」が押され続けると、所定の時間毎にフォーカスを移動させていく。この所定の時間は、「フォーカススピード」によって決定される。
フォーカスが所望の移動先のグループに到達したときに、ユーザがこの操作キーをリリースする（操作キーを開放する）と、移動対象の画像データが移動先のグループに入れられる。
即ち、移動対象となったグループの要素ＩＤリストから、移動対象の画像の画像ＩＤを削除し、この画像ＩＤを移動先のグループの要素ＩＤリストの最後に挿入する。
【００９４】
上述では、移動対象の画像データが代表画像データであっても、移動先では代表画像とはしていないが、移動先でも代表画像として移動するようにしてもよい。この場合、移動先の代表画像の個数が「代表画像個数（Ｎ）」を越えないようにして移動する必要がある。
【００９５】
そして、フォーカスを移動対象の要素（代表画像）があったグループへ戻し、「次に表示開始する要素ＩＤ」からスライドショーを再開し、ユーザから次のデータ移動の指示を待つ。
【００９６】
ユーザは、全ての移動が終了したと判断して「モード切替操作キー」を押すと、一覧表示制御部２５は「データ移動モード」から「一覧表示モード」に切り換える。
【００９７】
さらに、上記の説明では、移動対象の画像データを１つずつ指定していたが、スライドショー再生中に、移動対象の画像データの開始データと最終データを指定して、この間の全ての画像データを一括して、移動するようにしてもよい。
また、移動取消し操作キーを設定しておき、移動後であってもその画像データを移動する前に属していたグループへ戻すようにしてもよい。
【００９８】
また、上記の説明では、同時形式と順次形式のスライドショーの表示間隔のスピードを同じにしていたが、別々のスピードを設定できるようにして、それぞれの形式の目的に合った速さでスライドショーを行えるようにしてもよい。
さらに、上記の説明では、同時形式と順次形式のスライドショーの対象を全てのグループについて行うようにしていたが、部分的に選定したグループに対して、同時形式あるいは順次形式のスライドショーを行うように指定するようにしてもよい。
【００９９】
また、上述の説明では、１つの表示画面に表示できるグループの数については制限を設けていなかった。即ち、グループの数が多いと１つの画面に表示するときに画像を縮小して表示するか、あるいは、スクロールして表示するしかなかった。
同時形式あるいは順次形式でスライドショーを行っているときに、表示画面に１度に表示できるグループの数を変更して設定できるようにする。
このときのスライドショーは、１度のスライドショーを、このグループの個数で分割して、分割されたグループを順次１画面に表示する。
【０１００】
例えば、図２で用いた画像データを使い、１度に表示できるグループの個数を２個として説明する。全てのグループを１度に表示する場合には、順次形式の場合には、図５のようになり、同時形式では図６のようになる。
【０１０１】
これを２個ずつに分けて順次形式で表示すると、最初の２つのグループのうち一方のグループに対して順次形式でスライドショーを行って、表示し終わるともうひとつの方のグループを順次方式でスライドショーする、このとき、先にスライドショーを終えたグループをまだスライドショーしていないグループと置き換え、以下同様にスライドショーを継続する。この表示方法によると、順次方式では図１１のようになる。
図１１では、時間ｔ１〜ｔ３までは、グループＡに属する画像を順次表示させ、グループＢに属する画像データはグループＡの表示が終了するまで停止する。グループＡの画像が全て表示された時間ｔ４では、グループＢの画像を順次表示させるとともに、グループＡをグループＣに換えて、以下同様にスライドショーを継続する。
【０１０２】
これを２個ずつに分けて同時形式で表示すると、最初の２つのグループに対してスライドショーを行って、先に表示し終わった方のグループをまだスライドショーしていないグループと置き換えてスライドショーを継続する。この表示方法によると、同時形式では図１２のようになる。
図１２では、時間ｔ１〜ｔ３までは、グループＡとＢに属する画像データを同時に進めて表示し、時間ｔ４では、グループＡに属する画像データがなくなったので、グループＡをグループＣに換えて、以下同様にスライドショーを継続する。
【０１０３】
このように、１度に表示できるグループの数を減らしたり、増やしたりするときには、表示していたグループの次に再生開始位置を記録しておき、再度、グループが表示状態となったときには、記録しておいた再生開始位置からスライドショーを再開できるようにする。
【０１０４】
図１３は、本実施形態の処理手順を示すフローチャートである。
まず、記録再生装置（画像蓄積表示装置）の記憶装置に累積された画像等をグループ化するに先立って、パラメータの設定を行う（ステップＳ１）。
このパラメータには、一覧表示を２次元配置あるいは１次元配置（リスト）で表示するかの表示形態、同時形式あるいは順次形式で表示するかの表示形式、一覧表示の際に１つのグループで１度に表示する要素（グループあるいは画像データ）の個数、各グループに属する代表画像データの最大個数、階層構造のグループを表示する場合に、一階層でのスライドショーを行うか、あるいは、再帰的なスライドショーを行うかの区別、スライドショーでの画像データ表示間隔のスピード、スライドショーの繰り返しの有無、「データ移動モード」において、移動対象を選択した後に、フォーカスを動かすスピードがある。
【０１０５】
次に、グループ登録機能を用いてグループ名を登録する（ステップＳ２）。
ここで、グループ名とその分類条件を指定したときには、画像データ記憶部１５１を参照してこの分類条件に合致した画像データを検索し、検索結果からグループを形成する。また、グループ名だけを登録したときには、後述の画像データの移動方法によってグループに属する画像データを形成していく。
【０１０６】
次に、リモコン３から一覧表示の指示が見つかると、グループデータ記憶部１５２を参照して、各グループに属する代表画像データをスライドショーにて表示装置２に表示する（ステップＳ３）。この一覧表は、「表示形態」、「表示形式」、「スライドショーの表示間隔」等のパラメータを参照することによって作成制御される。
【０１０７】
「一覧表示モード」であるときに、ユーザがパラメータ設定の操作キーを押したことを検出すると（ステップＳ５／ＹＥＳ）、パラメータ設定機能において操作キーに応じたパラメータの設定を行い（ステップＳ６）、ユーザからの次の指示を入力するためにステップＳ４へ戻る。
また、ユーザがフォーカス移動の操作キーを押したことを検出すると（ステップＳ７／ＹＥＳ）、現時点でフォーカスされているグループから次のグループにフォーカスを移動し、ユーザからの次の指示を入力するためにステップＳ４へ戻る。
【０１０８】
ユーザがモード切替用の操作キーを押したことを検出すると（ステップＳ４／ＹＥＳ）、「一覧表示モード」から「データ移動モード」に切り替え、フォーカス移動の操作キーが押されるのを待つ（ステップＳ９）。
そして、ユーザがフォーカス移動の操作キーを押したことを検出すると（ステップＳ９／ＹＥＳ）、スライドショーを一時停止し、このときフォーカスの当たっていたグループの画像データを移動対象の画像データと決定する（ステップＳ１０）。
【０１０９】
ユーザがフォーカス移動の操作キーを放す（リリースする）までフォーカスを移動させる（ステップＳ１１，Ｓ１２）。
ユーザがフォーカス移動の操作キーをリリースしたことを検出すると（ステップＳ１１／ＹＥＳ）、移動対象の画像データを今フォーカスの当たっているグループへ移動させ（ステップＳ１３）、スライドショーを先に一時停止した次から再開する（ステップＳ１４）。
ここで、ユーザがモード切替用の操作キーを押したことを検出した場合（ステップＳ１５／ＹＥＳ）、「データ移動モード」から「一覧表示モード」に切り替えて一覧表示（ステップＳ３）へ戻る。一方、ユーザがモード切替用の操作キーを押さない場合（ステップＳ１５／ＮＯ）、ユーザからの次の指示を入力するためにステップＳ９へ戻る。
【０１１０】
上述した実施形態の変形例について説明する。
上述のスライドショーは、それぞれのグループを関連付けて、例えば、同時に表示したり（同時形式）、１つのグループに属する画像を全て表示してから次のグループの画像を順次に表示する（順次形式）ようにしていた。
【０１１１】
しかし、各グループのスライドショーを関連付けずに独立に表示するものとしてもよい。このようにすると、個々のグループに対して、スライドショーのスピードを別々に指定でき、さらに、スライドショーの一時停止・再開・ステップの再生・停止・パラメータ更新を実行することができる。
この指定を予めパラメータとして、（１）フォーカスの当たっているグループに対して行うのか、あるいは、（２）フォーカスとは関係なく、全てのグループに対して行うのか、を設定できるようにしてもよい。
【０１１２】
尚、本発明は上述した実施形態に限定されず、本発明の要旨を逸脱しない範囲内で各種の変形、修正が可能であるのは勿論である。
【０１１３】
また、本発明の実施形態は、上記の画像蓄積表示装置の各部の機能をコンピュータプログラム化し、このコンピュータプログラムを装置へインストールして実行することでも実現される。また、このコンピュータプログラムを着脱可能な記録媒体に記録したり、ネットワークを介してダウンロードすることにより、移送が簡単になり容易に実施することができる。
【図面の簡単な説明】
【０１１４】
【図１】本発明の実施形態に係る記録再生装置（画像蓄積表示装置）の構成を示すブロック図である。
【図２】記憶装置内の画像データをグループ化したときのイメージ図である。
【図３】従来の一覧表示例である。
【図４】本発明における一覧表示例である。
【図５】一覧表示における順次形式のスライドショーの表示例である。
【図６】一覧表示における同時形式のスライドショーの表示例である。
【図７】階層構造のグループで、記憶装置内の画像データをグループ化したときのイメージ図である。
【図８】階層構造をもったグループＭの一層目の要素だけによるスライドショーの表示例である。
【図９】階層構造をもったグループＭの再帰的なスライドショーの表示例である。
【図１０】実施形態に係る機能構成のブロック図である。
【図１１】表示画面に表示するグループ数を指定したときのスライドショーの順次形式の表示例である。
【図１２】表示画面に表示するグループ数を指定したときのスライドショーの同時形式の表示例である。
【図１３】本実施形態の処理手順を示すフローチャートである。
【符号の説明】
【０１１５】
１…記録再生装置、１１…主制御部、１２…メモリ、１３…入力部、１４…記録部、１５…記憶装置、１５１…画像データ記憶部、１５２…グループデータ記憶部、１５３…パラメータ記憶部、１７…再生部、１８…出力部、１９…受信部、２…表示装置、３…リモコン、２０…グループ化作業支援部、２１…支援制御部、２５…一覧表示制御部、２６…パラメータ設定部、２７…グループ登録部。
【図１】
2008131218.tif 000003
【図２】
2008131218.tif 000004
【図３】
2008131218.tif 000005
【図４】
2008131218.tif 000006
【図５】
2008131218.tif 000007
【図６】
2008131218.tif 000008
【図７】
2008131218.tif 000009
【図８】
2008131218.tif 000010
【図９】
2008131218.tif 000011
【図１０】
2008131218.tif 000012
【図１１】
2008131218.tif 000013
【図１２】
2008131218.tif 000014
【図１３】
2008131218.tif 000015